(57)【要約】【課題】電磁波を発生させない電線、発熱線、電線と発熱線とを組合わせた電力導体を提供する。【解決手段】単相２線式電源に接続する電力導体１を、４本の導線２ａ、２ｂ、３ａ、３ｂの中心が四角形の角部にそれぞれ配置して１束に集合させて４芯構造に形成し、これらの導線は２対の導線を平行して集合させ、かつ、その外周を一つの絶縁被覆４されており、一対の導線に平行する他の一対の導線の極性を逆に接続可能に構成したことを特徴とする。【選択図】    図１
2004235112.tif 000002
【特許請求の範囲】
【請求項１】
単相２線式電源に接続する電力導体を、４本の導線の中心が四角形の角部にそれぞれ配置して１束に集合させて４芯構造に形成し、これらの導線は２対の導線を平行して集合させ、かつ、その外周を一つの絶縁体で被覆されており、
一対の導線に平行する他の一対の導線の極性を逆に接続可能に構成したことを特徴とする電磁波を減少させる電力導体。
【請求項２】
単相２線式電源に接続する電力導体を、４本の導線の中心が四角形の角部にそれぞれ配置して１束に集合させて４芯構造に形成し、これらの導線は２対の導線を平行して集合させ、かつ、その外周を一つの絶縁体で被覆されており、
前記２本の導線を電線として、他の２本の導線を発熱導体として４芯構造に形成し、一対の導線に平行する他の一対の導線の極性を逆に接続可能に構成したことを特徴とする電磁波を減少させる電力導体。
【請求項３】
単相２線式電源に接続する電力導体を、４本の導線の中心が四角形の角部にそれぞれ配置して１束に集合させて４芯構造に形成し、これらの導線は２対の導線を平行して集合させ、かつ、その外周を一つの絶縁体で被覆されており、
前記２対の導線の全てを発熱導体として４芯構造に形成し、一対の導線に平行する他の一対の導線の極性を逆に接続可能に構成したことを特徴とする電磁波を減少させる電力導体。
【発明の詳細な説明】
【０００１】
【発明の属する技術分野】
本発明は、各種電気配線、電気コード、暖房用カーペットヒーター、電気機器より発生する電磁波を消去する電力導体と、この電力導体の配線方法に関する。
【０００２】
【従来の技術】
送電線、テレビ、エアコンあるいは電子レンジ等から電磁波が多量に発生していることは周知であり、例えば、国立環境研究所と国立ガンセンターは全国免疫学調査を行なっている。この調査は１５歳未満の白血病の子供約３５０人について、室内の電磁波、送電線までの距離や電気製品の使用状況と、健康な子供約７００人について日常生活の電磁波の影響などについて調査したもので、その結果、電磁波の平均値が０．４マイクロステラ（４ミリガウス）を越えると小児白血病の発生率が２倍になることが報告されている（例えば、非特許文献１）。
【０００３】
【非特許文献１】
毎日新聞社、２００２．９．１５発行「サンデー毎日」（第３５〜３８頁）
【０００４】
【発明が解決しようとする課題】
前記電磁波に関する記事は、電気機器自体から発生するものを対象としており、直観的にこの電気機器から電磁波が発生してことを感じることが可能である。しかし、本発明者が電磁波について測定したところ、これらの電気機器からは予想通りの電磁波が放射されているが、これらの電気機器のみではなく、
屋内の電気配線や電気機器に接続される電気コード、暖房用カーペットヒーターあるいは電気機器の加熱ヒーターからも微量であるが発生していることが確認されている。
【０００５】
従って、コンピュータ作業のようにコンピュータとこれに接続される配線の側に長時間生活しながら電磁波の照射を受けると、その電磁波は微弱であっても、その影響を無視できないことが理解できる。また、電子レンジのように目視により確認できる電気機器の場合は、それよりある距離をおきながら注意して生活することで、電磁波の照射をかなり防ぐことが可能である。
【０００６】
しかし、身体に近い位置にある電気配線や調理装置や家電機器に接続される電気コード、暖房用カーペットヒーター、あるいは電気床暖房装置で電磁波のシールド機能を持たないものから離れて生活することは極めて難しい。
【０００７】
従って、電気配線や電気コードなどから発生する微弱な電磁波でも、可能な限り低下させることが重要である。
【０００８】
電気床暖房装置の場合、面状ヒーターが床構造内に敷設されているが、床面には子供が遊んだり、寝そべったりする機会があることから、本発明者は、その面状ヒータから発生する電磁波の影響があることを考慮して電磁波の強度を測定したところ、製品によって、また、測定する場所によって相違があるものの、１００〜１８０ミリガウス程度の電磁波が発生していることが分かった。
【０００９】
そこで本発明者の一人は、この面状ヒーターを使用した電気床暖房装置の電磁波の消去方法を開発し、先に提案している（特願２００２−３５２８７７  号）  。
【００１０】
この発明は同じ特性を持つ二枚の面状発熱体を準備し、これを重ね合わせると共に、２枚の面状発熱体に互いに逆方向に電流を流すように給電部の交流電源に接続し、更に二枚の面状発熱体の相互の位置を調整することによって電磁波を消去するものである。
【００１１】
本発明は、前記発明の技術的思想を線条導電体からなる電力導体に適用することを検討した結果得られたものであって、通電中に電磁波を発生させない線条導電体からなる電力導体を提供することを目的とするものである。
【００１２】
【課題を解決する手段】
前記目的を達成するための本発明にかかる電力導体は下記のように構成されている。
【００１３】
１）単相２線式電源に接続する電力導体を、４本の導線の中心が四角形の角部にそれぞれ配置して１束に集合させて４芯構造に形成し、これらの導線は２対の導線を平行して集合させ、かつ、その外周を一つの絶縁体で被覆されており、一対の導線に平行する他の一対の導線の極性を逆に接続可能に構成したことを特徴としている。
【００１４】
２）単相２線式電源に接続する電力導体を、４本の導線の中心が四角形の角部にそれぞれ配置して１束に集合させて４芯構造に形成し、これらの導線は２対の導線を平行して集合させ、かつ、その外周を一つの絶縁体で被覆されており、前記２本の導線を電線として、他の２本の導線を発熱導体として４芯構造に形成し、一対の導線に平行する他の一対の導線の極性を逆に接続可能に構成したことを特徴としている。
【００１５】
３）単相２線式電源に接続する電力導体を、４本の導線の中心が四角形の角部にそれぞれ配置して１束に集合させて４芯構造に形成し、これらの導線は２対の導線を平行して集合させ、かつ、その外周を一つの絶縁体で被覆されており、前記２対の導線の全てを発熱導体として４芯構造に形成し、一対の導線に平行する他の一対の導線の極性を逆に接続可能に構成したことを特徴としている。
【００１６】
【発明の実施の形態】
次に、図面を参照して本発明の実施の形態を説明する。
【００１７】
（第１の実施例）
図１は本発明の基本的な電力導体の断面形状を示すもので、それぞれ絶縁被覆ｈを有する２ａ、２ｂの一対の導体（第１の導体）と、３ａ、３ｂの他の一対の導体（第２の導体）からなる４本の導体を十字形に配置して一束とし、その周囲を１本の円形のチューブ状の絶縁被覆４で覆って１本のケーブル状の電力導体１を構成している。この電力導体１は、その構造に複数の空間Ｓを有しており、これは単相の電線を２本合体させた４芯構造である。
【００１８】
そしてこの電力導体１を家屋や電気機器に配線して使用する際は、導体２ａを正極とすると導体２ｂを負極とする。また、導体２ａに隣接する導体３ｂを負極に、この導体３ｂと導体２ｂに隣接する導体３ａを正極に接続するものである。つまり、４芯のうち２芯は正極に、他の２芯は負極とした２対の導体として同一極性を相対する対称に配列することが条件である。そして電力を供給した場合の２対の導体の極性を逆方向にすることによって、２対の導体から発生する電磁波が互いに打ち消し合って消去されるように配線するものである。
【００１９】
図２は、図１に示す電力導体１の２ａ、２ｂと〜３ａ、３ｂからなる２対の導体の周囲の全体を被覆する絶縁被覆４ａを押出成形によって形成したもので、全体として１本にまとまったケーブルを構成しており、この電力導体１は比較的大きな張力に形成することができる。
【００２０】
前記の構成の電力導体１は、単相交流電源に接続されて配線されるものであるが、第１の導体２ａ、２ｂと第２の導体３ａ、３ｂとは極性が逆になるように配線されることが重要である。
【００２１】
（第２の実施例）
図３は、第１の導体２ａ、２ｂと第２の導体３ａ、３ｂの中心を略半径分ずらして菱形の形状に配置し、その表面に菱形の絶縁被覆４ｂを形成した４芯の電力導体１Ａを示している。
【００２２】
図４は、図３の第１の導体２ａ、２ｂと第２の導体３ａ、３ｂの中心を略半径分ずらして菱形の形状に配置し、その表面に絶縁被覆４ｃを押出成形によって形成した４芯の電力導体１Ａを示している。
【００２３】
図３及び図４に示す菱形配置の４芯の電力導体１Ａの場合、断面形状が僅かに偏平に変化するので、電気機器が複雑な構造のものでも、この電力導体１Ａを使用して配線することによって組み込みや配線が容易となる。
【００２４】
なお、この構造の電力導体１Ａの場合は、図１のものに比較すると２対の導体２、３の完全な対称性が変形するため、発生した電磁波を完全に消去することができないが、通常の単相配線に比較すると大幅に低減が可能となる。
【００２５】
（第３の実施例）
前記図１ないし図３に示した断面構造と同様な構造の電力導体１、１Ａにおいて、例えば、第１の導体４ａ、４ｂを絶縁被覆を持つニクロム線などの発熱導体とし、更に、第２の導体５ａ、５ｂを電力供給用の電線（銅線）として図５（Ａ）に示す４芯の電力導体１Ｂとする。そして導体（発熱導体）４ａと導体５ａを正極とし、導体（発熱導体）４ｂと導体５ｂを負極とすると発熱導体４と導体５とは互いに逆の極性を持つことになる。
図５（Ｂ）は２対の電力導体４ａ、４ｂと５ａ、５ｂを菱形配置とした電力導体１Ｃを示している。
【００２６】
前記電力導体１Ｂと１Ｃに通電した場合に発生する電磁波の消去作用は図１を参照して説明した通りである。
この構成の電力導体１Ｂ、１Ｃは、発熱線を構成しているので、暖房用カーペットヒーターや毛布用ヒーター、あるいは家庭用機器の加熱ヒーターとして使用できる。
【００２７】
（第４の実施例）
前記第３の実施例の変形であるが、第１の導体６ａ、６ｂと第２の導体７ａ、７ｂの両方を発熱導体とした電力導体１Ｄとすることによって２対の発熱導体自体を利用して電磁波を消去するものである。この構造の電力導体１Ｄも暖房用カーペットヒーターや毛布に使用することができる。
（コネクタ、配線）
本発明は、２本一対からなる２対の導体、即ち、電線と電線の１対、ニクロム線のような発熱線の１対、電線とニクロム線のような電線の１対からなる２対を十字配置、あるいは菱形配置の状態でその外表面を絶縁被覆して１本のケーブルに纏め、１本の電力導体、あるいは１本の発熱導体として使用することを前提とするものである。そしてこの２対の導体は、隣接する導体が互いに異なる極性を持つように配線することが前提である。
【００２８】
図７はターミナル部分（コネクタ）を示すもので、図（Ｂ）のように電源側ターミナル１０は正極を２極、負極を２極とした合計４極に形成している。また、負荷側のターミナル１１の部分は前記ターミナル１０側からの２本の正極と２本の負極を合体させて１対の極を持つターミナルを構成している。
【００２９】
要するに、電源側が単相で供給され、電力導体１は単相の２対の導体を所定の配列で１本のケーブル状に構成しているので、負荷側で単相として供給できるように構成したもの、あるいは負荷側において、２対の導体の正極同志及び負極同志を接続する構成のものであっても良い。
【００３０】
【発明の効果】
本発明に係る電力導体は、単相２線式回路において、２対の導体（あるいは発熱導体）によって４芯構造で平行に配列された状態で、正極と負極を分離した構成とし、同一極性を相対した対称する形状に配置することによって、２対の導体に電力を供給した場合に、４本の導体から発生する電磁波の回転方向が、４芯で互いに逆方向になることによって、その導体から発生する電磁波は互いに打ち消し合うことになり、その導体から発生する電磁波は全体として消去されることになる。
【図面の簡単な説明】
【図１】２対の導体を１本に纏めた円形の電力導体の断面図である。
【図２】２対の導体を１本に纏めた円形の電力導体の断面図である。
【図３】２対の導体を１本に纏めた四角形のの電力導体の断面図である。
【図４】２対の導体を１本に纏めた四角形のの電力導体の断面図である。
【図５】（Ａ）は、１対の導体と１対の発熱導体とを組合わせた電力導体の断面図、
（Ｂ）は１対の導体と、１対の発熱導体とを組合わせた電力導体の断面図である。
【図６】（Ａ）は導体として２対の発熱導体を使用した電力導体の断面図、（Ｂ）は同様に導体として２対の発熱導体を使用した電力導体の断面図である。
【図７】（Ａ）は４芯と２芯のコネクターの断面図、（Ｂ）は同コネクターの左側面図、（Ｃ）は同コネクターの右側面図である。
【符号の簡単な説明】
１  電力導体    ２ａ、２ｂ、３ａ、３ｂ  導体
４  絶縁被覆
【図１】
2004235112.tif 000003
【図２】
2004235112.tif 000004
【図３】
2004235112.tif 000005
【図４】
2004235112.tif 000006
【図５】
2004235112.tif 000007
【図６】
2004235112.tif 000008
【図７】
2004235112.tif 000009
【手続補正書】
【提出日】平成15年2月7日(2003.2.7)
【手続補正１】
【補正対象書類名】図面
【補正対象項目名】全図
【補正方法】変更
【補正の内容】
【図１】
2004235112.tif 000010
【図２】
2004235112.tif 000011
【図３】
2004235112.tif 000012
【図４】
2004235112.tif 000013
【図５】
2004235112.tif 000014
【図６】
2004235112.tif 000015
【図７】
2004235112.tif 000016